(57)【要約】【課題】  不用意なパラメータの変更による予想外の機械動作の発生が回避でき、安全性の向上、付加価値の流出防止が図れるようにする。【解決手段】  実制御用パラメータ記憶手段１１に対応する入出力用パラメータ記憶手段１２を設ける。実制御用パラメータ記憶手段１１に対して入出力用パラメータ記憶手段１２から、設定規則Ｒに従い、パラメータの変換処理を行って入力を行うパラメータ変換手段１３を設ける。実制御用パラメータ記憶手段１１の設定内容は、外部に非表示とし、そのパラメータの入力は、入出力用パラメータ記憶手段１２を介して行う。前記設定規則Ｒは、個々の機械毎に特有の機械番号等を用いる。【選択図】        図１
2009175905.tif 000002
【特許請求の範囲】
【請求項１】
工作機械における各制御対象部の動作を、実制御用パラメータ記憶手段の複数のパラメータ記憶領域にそれぞれ設定された各パラメータを用いて制御する数値制御装置に対し、前記パラメータの設定を行う装置であって、
前記実制御用パラメータ記憶手段の各パラメータ記憶領域と対応するパラメータ記憶領域を有する入出力用パラメータ記憶手段を設け、前記実制御用パラメータ記憶手段の設定変換対象領域に対して入出力用パラメータ記憶手段から、設定規則に従い、パラメータの値およびアドレスの両方またはいずれか一方の変換処理を行ってパラメータの入力を行うパラメータ変換手段を設け、前記入出力用パラメータ記憶手段にパラメータの入力を行うパラメータ入力手段を設け、前記数値制御装置の操作盤に設けられた表示装置にパラメータを表示させるパラメータ出力手段を設け、このパラメータ出力手段は、前記入出力用パラメータ記憶手段におけるパラメータの値をそのパラメータ記憶領域のアドレスと共に表示する工作機械のパラメータ設定装置。
【請求項２】
前記パラメータ変換手段の前記設定規則は、個々の工作機械に付されている特有の識別情報を用いて前記変換処理を行うものである請求項１記載の工作機械のパラメータ設定装置。
【請求項３】
請求項１または請求項２記載のパラメータ設定装置をそれぞれ有する複数台の工作機械を備え、これら各工作機械の数値制御装置は、互いに、前記実制御用パラメータ記憶手段に設定されているパラメータの値およびアドレスが同じであって、前記入出力用パラメータ記憶手段に設定されているパラメータおよびアドレスの両方または片方の値がそれぞれ異なることを特徴とするパラメータ使用数値制御工作機械設備。
【発明の詳細な説明】
【技術分野】
【０００１】
この発明は、旋盤等の切削加工機、およびパンチプレス等の板材加工機を含む広義の数値制御工作機械のパラメータ設定装置および工作機械設備に関する。
【背景技術】
【０００２】
工作機械の動作の仕様を決めるための手段として、不揮発性のメモリに機能の有無を支配する設定を行うことが一般的に行われている。この設定情報がパラメータである。すなわち、ユーザの要望の多様化により、数値制御のソフトウェアが複雑化しており、これをパラメータによって各ユーザの要望に対応させるようにしている。加工中における機内計測実行の有無の選択、主軸回転速度の選択、機体カバー扉の開閉に伴うインターロック等は、パラメータによって設定すると、プログラムの作成や制御が簡単になる。このような各種のパラメータが、数十あるいは数百準備され、これらが経験等によって徐々に変更され、工作機械のユーザのノウハウが蓄積されていく。パラメータは、一般的に、操作盤の操作によって機上から設定値が変更可能とされる。
【０００３】
パラメータの書換え履歴や、書換えの事実を知らせる機能を持つ数値制御装置も提案されている（例えば、特許文献１，特許文献２）。
【特許文献１】特開２００４−１９９５３０号公報
【特許文献２】特開２００２−３１２００７号公報
【特許文献３】特開平８−３２８６１０号公報
【発明の開示】
【発明が解決しようとする課題】
【０００４】
パラメータは、上記のように工作機械の動作の仕様を決める手段であり、パラメータの中には、工作機械の付加価値を提供するものや、安全に関する情報など、重要なものがある。そのため、パラメータの設定には次のような種々の問題がある。
１）オペレータの操作ミスや、知識の不十分によって不用意に変更されると、機械の予定外の動作となる。
２）誰が変更したかわからず、復旧が困難なことがある。
３）現地で設定を変更すると、その情報が工場側の管理に引き継がれないことがある。  ４）安全に関する設定を変更すると、機械は大きなリスクを持つことになる。
５）パラメータの設定内容の流出により、付加価値が流出することになる。
【０００５】
なお、パスワードの設定等によりパラメータの設定権限を与えるのでは、パスワード管理の十分な運用が期待できない場合がある。
【０００６】
この発明の目的は、特定の者だけにパラメータの設定やその設定内容の変更を可能として、不用意なパラメータの変更による予想外の機械動作の発生が回避でき、安全性の向上、付加価値の流出防止が図れる工作機械のパラメータ設定装置およびパラメータ使用数値制御工作機械設備を提供することである。
この発明の他の目的は、実際に機械制御に使用されるパラメータとは異なる値やアドレスのパラメータを設定して希望の動作を可能とし、かつそのパラメータの変更形態を個々の機械毎に異ならせながら、パラメータの管理を容易とすることである。
【課題を解決するための手段】
【０００７】
この発明の工作機械のパラメータ設定装置は、工作機械（１）における各制御対象部（３）の動作を、実制御用パラメータ記憶手段（１１）の複数のパラメータ記憶領域にそれぞれ設定された各パラメータを用いて制御する数値制御装置（２）に対し、前記パラメータの設定を行う装置であって、次の構成を備える。
すなわち、前記実制御用パラメータ記憶手段（１１）の各パラメータ記憶領域と対応するパラメータ記憶領域を有する入出力用パラメータ記憶手段（１２）を設ける。前記実制御用パラメータ記憶手段（１１）の設定変換対象領域（１１ａ）に対して入出力用パラメータ記憶手段（１２）から、設定規則（Ｒ）に従い、パラメータの値およびアドレスの両方またはいずれか一方の変換処理を行ってパラメータの入力を行うパラメータ変換手段（１３）を設ける。前記入出力用パラメータ記憶手段（１２）にパラメータの入力を行うパラメータ入力手段（１７）を設ける。前記数値制御装置（２）の操作盤（１４）に設けられた表示装置（１５）にパラメータを表示させるパラメータ出力手段（１８）を設ける。このパラメータ出力手段（１８）は、前記入出力用パラメータ記憶手段（１２）におけるパラメータの値をそのパラメータ記憶領域のアドレスと共に表示するものとする。なお、前記設定変換対象領域（１１ａ）は、任意に設定すれば良く、実制御用パラメータ記憶手段（１１）の全ての記憶領域であっても良い。
【０００８】
この構成によると、操作盤（１４）の表示装置（１５）に表示されるパラメータの値およびアドレスは、入出力用パラメータ記憶手段（１２）におけるパラメータの値およびアドレスであり、実制御用パラメータ記憶手段（１１）に設定されているパラメータは表示されない。入出力用パラメータ記憶手段（１２）に設定されるパラメータは、値またはアドレスの両方またはいずれか一方がパラメータ変換手段（１３）で変換されている。そのため、パラメータ変換手段（１３）による変換形態が分からないと、表示装置（１５）に表示されるパラメータの意味が不明であり、パラメータを適切な値にすることが全くできない。このように表示されるパラメータの意味が不明なため、現場のオペレータ等がパラメータを変更することがなくなり、不用意なパラメータの変更による予想外の機械動作の発生が回避でき、安全性が向上する。パスワード等で設定権限を制限するものと異なり、表示されるパラメータの意味を分からなくするため、管理の不徹底による漏洩によりパラメータ変更される可能性も低い。また、パラメータ変換手段（１３）の前記設定規則（Ｒ）によるパラメータの変換内容が異なっていれば、他の同種の工作機械（１）に同じパラメータを設定しても、実制御用パラメータ記憶手段（１１）に設定されるパラメータは工作機械（１）の相互間で異なることになる。そのため、機械の動作仕様となる付加価値のあるパラメータの設定内容の流出が防止できる。パラメータ変換手段の前記設定規則（Ｒ）は、工作機械（１）の製造業者や保守管理を行う業者等の、パラメータ設定を行う特定の者が管理するようにすることで、実制御用パラメータ記憶手段（１１）に設定されるパラメータを適切な値とすることができる。
【０００９】
この発明において、前記パラメータ変換手段（１３）の前記設定規則（Ｒ）は、個々の工作機械（１）毎に付されている特有の識別情報を用いて前記変換処理を行うものであっても良い。すなわち、前記設定規則（Ｒ）を、規則生成元情報（Ｒａ）と、この規則生成元情報（Ｒａ）に所定の処理を施す規則生成規則（Ｒｂ）とで構成し、この処理結果を用いてパラメータの変換を行うものとし、前記規則生成元情報（Ｒａ）を、前記特有の識別情報とする。前記特有の識別情報は、例えば工作機械（１）の１台毎に異なる番号が付される機械番号である。
このように、工作機械（１）毎の特有の識別情報を用いることで、前記設定規則（Ｒ）のうちの規則生成規則（Ｒｂ）の部分が各工作機械（１）につき同じであっても、前記設定規則（Ｒ）は個々の工作機械（１）毎に異なるものになる。前記規則生成元情報（Ｒａ）には機械番号等を用いれば、規則生成元情報（Ｒａ）の記録消失等の問題も生じない。このため、パラメータの変更形態を個々の機械毎に異ならせながら、パラメータの管理が容易となる。
【００１０】
この発明のパラメータ使用数値制御工作機械設備は、この発明の上記いずれかの構成のパラメータ設定装置をそれぞれ有する複数台の工作機械（１）を備え、これら各工作機械（１）の数値制御装置（２）は、互いに、前記実制御用パラメータ記憶手段（１１）に設定されているパラメータの値およびアドレスが同じであって、前記入出力用パラメータ記憶手段（１２）に設定されているパラメータおよびアドレスの両方または片方の値がそれぞれ異なることを特徴とする。
この構成の場合、個々の工作機械（１）の実制御用パラメータ記憶手段（１１）に設定されているパラメータの値およびアドレスが同じであるため、機械動作の仕様が互いに同じとなるが、入出力用パラメータ記憶手段（１２）の同じアドレスに設定されているパラメータの値がそれぞれ異なるため、オペレータ等にはパラメータの意味が不明で、オペレータ等がパラメータの設定変更を行うことが回避される。また、機械の動作仕様となる付加価値のあるパラメータの設定内容を、権限なく他の工作機械（１）に設定することによる流出が防止できる。
【発明の効果】
【００１１】
この発明の工作機械のパラメータ設定装置は、工作機械における各制御対象部の動作を、実制御用パラメータ記憶手段の複数のパラメータ記憶領域にそれぞれ設定された各パラメータを用いて制御する数値制御装置に対し、パラメータの設定を行う装置であって、前記実制御用パラメータ記憶手段の設定変換対象領域の各パラメータ記憶領域と対応するパラメータ記憶領域を有する入出力用パラメータ記憶手段を設け、前記実制御用パラメータ記憶手段の設定変換対象領域に対して入出力用パラメータ記憶手段から、設定規則に従い、パラメータの値およびアドレスの両方またはいずれか一方の変換処理を行ってパラメータの入力を行うパラメータ変換手段を設け、前記入出力用パラメータ記憶手段にパラメータの入力を行うパラメータ入力手段を設け、前記数値制御装置の操作盤に設けられた表示装置にパラメータを表示させるパラメータ出力手段を設け、このパラメータ出力手段は、前記入出力用パラメータ記憶手段におけるパラメータの値をそのパラメータ記憶領域のアドレスと共に表示するため、特定の者だけにパラメータの設定やその設定内容の変更を可能として、不用意なパラメータの変更による予想外の機械動作の発生が回避でき、安全性の向上、付加価値の流出防止を図ることができる。
【００１２】
前記パラメータ変換手段の前記設定規則が、個々の工作機械に付されている特有の識別情報を用いて前記変換処理を行うものである場合は、実際に機械制御に使用されるパラメータとは異なる値やアドレスのパラメータを設定して希望の動作を可能とし、かつそのパラメータの変更形態を個々の機械毎に異ならせながら、パラメータの管理を容易とすることができる。
【００１３】
この発明のパラメータ使用数値制御工作機械設備は、この発明のパラメータ設定装置をそれぞれ有する複数台の工作機械を備え、これら各工作機械の数値制御装置は、互いに、前記実制御用パラメータ記憶手段に設定されているパラメータの値およびアドレスが同じであって、前記入出力用パラメータ記憶手段に設定されているパラメータおよびアドレスの両方または片方の値がそれぞれ異なるため、特定の者だけにパラメータの設定やその設定内容の変更を可能として、不用意なパラメータの変更による予想外の機械動作の発生が回避でき、安全性の向上、付加価値の流出防止を図ることができる。
【発明を実施するための最良の形態】
【００１４】
この発明の一実施形態を図面と共に説明する。この工作機械のパラメータ設定装置は、数値制御装置２を備えた工作機械１において、前記数値制御装置２に各パラメータを設定する装置である。
【００１５】
制御対象となる工作機械１は、広義の「工作機械」であり、旋盤等の切削加工機であっても、パンチプレス等の板材加工機であっても良い。工作機械１は、数値制御装置２によって制御される複数の制御対象部３を有し、また１台毎に異なる特有の識別情報を付した識別情報表示部４が設けられている。上記識別情報は、例えば機械番号である。識別情報表示部４は、工作機械１のフレームや機体カバー等に施されたプレート、シール、または刻印等である。
制御対象部３は、モータやシリンダ装置等の駆動源を有する機構、および計測器等の付加機能部である。ここで言う駆動源は、電磁バルブ等を制御するソレノイド等の駆動源を含む。なお、工作機械１はローダ等の搬送装置（図示せず）を含むものであっても良く、その場合、搬送装置の各駆動源も制御対象部３となる。
【００１６】
図４は、制御対象となる工作機械１の具体例を示す。この工作機械１は、タレット式の旋盤であって、ベッド２１上の主軸台２２に主軸２３が支持され、主軸台２２の側方に、タレット式の刃物台２４が送り台２５を介して前後方向（Ｚ方向）および左右方向（Ｘ方向）に移動可能に設置されている。主軸２３は主軸モータ２３により回転駆動され、タレット式の刃物台２４は、Ｘ軸モータ２７，Ｚ軸モータ２８によりＸ軸方向，Ｙ軸方向の進退駆動が、また割出モータ２９により旋回割出が行われる。主軸２３および刃物台２４は機体カバー３０で覆われ、機体カバー３０は開閉扉３０ａを有している。また、主軸台２２の近傍等にクーラント供給系や機内計測器（いずれも図示せず）が設けられている。
ベッド２１の近傍に設置された制御盤３１は、図１の数値制御装置２や電源系等を収容したものであり、図４に概念的にブロックで示すように、刃物台２４の各工具３２の負荷を検出するツールモニタ３３や、各工具３２の使用回数を検出するシールカウンタ３４が設けられ、また開閉扉３０ａの開閉状態に応じて各駆動源を停止状態とするインターロック手段３５や、停止時間に応じて節電動作に入る節電制御手段３６が設けられている。
【００１７】
上記各モータ２６〜２８や、ツールモニタ３３、シールカウンタ３４、インターロック手段３５、節電制御手段３６、クーラント供給系、機内計測器等が、図１の制御対象部３である。また、識別情報表示部４が、ベッド２１または機体カバー３０などに付されている。
【００１８】
図１において、数値制御装置２は、工作機械１における各制御対象部３の動作を制御する装置であり、数値制御部５とおよびシーケンス制御部６を有している。シーケンス制御部６は、例えばプログラマブルコントローラからなる。これら数値制御部５およびシーケンス制御部６は、それぞれコンピュータおよびこれに実行される内部制御プログラム（図示せず）によって構成される。数値制御部５を構成するコンピュータと、シーケンス制御部６を構成するコンピュータとは、１台で兼用するものであっても、別々に設けられたものであっても良い。
【００１９】
数値制御部５は、ＮＣコード等で記述された加工プログラム８を演算制御部７で解読して実行することで制御指令を工作機械１の制御対象部３等に出力する手段である。演算制御部７は、中央処理装置（ＣＰＵ）およびメモリ等で構成される。演算制御部７は、加工プログラム８における各軸の移動命令を実行する機能を有し、加工プログラム８におけるシーケンス制御命令はシーケンス制御部６に転送する。
【００２０】
シーケンス制御部６は、中央処理装置（ＣＰＵ）およびメモリ等で構成される演算制御部９を有しており、数値制御部５から転送されたシーケンス制御命令を、演算制御部９でシーケンスプログラム１０を用いて実行する。シーケンス制御部６は、制御対象部３の電源系を構成するスイッチ類（図示せず）を含むものであっても良い。
【００２１】
数値制御装置２は、実制御用パラメータ記憶手段１１を有しており、工作機械１における各制御対象部３の動作を、加工プログラム８やシーケンスプログラム１０と共に、実制御用パラメータ記憶手段１１に設定された各パラメータを用いて制御する装置である。例えば、加工プログラム８やシーケンスプログラム１０は、実制御用パラメータ記憶手段１１に設定されたパラメータを用いる命令を有するものとされる。
実制御用パラメータ記憶手段１１は、不揮発性メモリ等で構成されるが、複数のメモリに分散して設けられていても良い。
【００２２】
操作盤１４は、数値制御装置２や工作機械１に対する直接の操作を行う手段であり、液晶ディスプレイ等の画面で表示する表示装置１５と、キーボードまたは上記表示装置１５上に設けられたタッチパネル等からなる入力装置１６を有している。
【００２３】
このパラメータ設定装置は、上記構成の数値制御装置２において、実制御用パラメータ記憶手段１１に対する前記パラメータの設定を行う装置である。このパラメータ設定装置は、入出力用パラメータ記憶手段１２、パラメータ変換手段１３、パラメータ入力手段１７、およびパラメータ出力手段１８を有している。
【００２４】
入出力用パラメータ記憶手段１２は、実制御用パラメータ記憶手段１１に対するパラメータの入出力のために介在させる記憶手段であって、不揮発性メモリ等からなり、実制御用パラメータ記憶手段１１の各パラメータ記憶領域と対応するパラメータ記憶領域を有する。
【００２５】
パラメータ変換手段１３は、実制御用パラメータ記憶手段１１に対して入出力用パラメータ記憶手段１２から、設定規則Ｒに従い、パラメータの値およびアドレスの両方またはいずれか一方の変換処理を行ってパラメータの入力を行う手段である。設定規則Ｒについては、後に説明する。
【００２６】
実制御用パラメータ記憶手段１１は、設定変換対象領域１１ａと、非変換対象領域１１ｂとに区分され、パラメータ変換手段１３により上記パラメータの変換を行うのは、設定変換対象領域１１ａのパラメータだけとする。なお、設定変換対象領域１１ａは、実制御用パラメータ記憶手段１１の全ての領域としても良い。
入出力用パラメータ記憶手段１２についても、実制御用パラメータ記憶手段１１の設定変換対象領域１１ａと非変換対象領域１１ｂとに対応して、設定変換対象領域１２ａと非変換対象領域１２ｂとに区分される。
【００２７】
パラメータ入力手段１７は、入出力用パラメータ記憶手段１２にパラメータの入力、つまりパラメータの設定，変更，削除を行う手段である。パラメータ入力手段１７は、操作盤１４の上記キーボードやタッチパネル等からなる入力装置１６を介して入出力用パラメータ記憶手段１２の個々のパラメータ記憶領域にパラメータの入力を行う機能と、入出力用パラメータ記憶手段１２の全てのパラメータ記憶領域に対するデータを持つパラメータ設定ファイル１９を読み込んで、入出力用パラメータ記憶手段１２の設定内容を一括して入力する機能とを有している。
パラメータ設定ファイル１９は、パラメータ入力手段１７に対して、例えば通信ネットワーク（図示せず）を介して読み込まれるようにしても、またフラッシュメモリ等の可搬の記憶媒体から読み込まれるようにしても良い。
【００２８】
パラメータ出力手段１８は、入出力用パラメータ記憶手段１２に設定されているパラメータを出力する手段であり、出力ポート等を介して出力する機能部の他に、操作盤１４の表示装置１５にパラメータを表示させる表示機能部１８ａを有している。この表示機能部１８ａは、実制御用パラメータ記憶手段１１の設定内容を非表示として、入出力用パラメータ記憶手段１２におけるパラメータの値を、そのパラメータ記憶領域のアドレスと共に表示する。この表示において、表示機能部１８ａは、入出力用パラメータ記憶手段１２における設定変換対象領域１２ａと非変換対象領域１２ｂとを、適宜の表示で区分して表示させる。例えば、設定変換対象領域１２ａには、変更不許可の旨の表示を付し、また非変換対象領域１２ｂには変更許可の旨の表示を施す。
【００２９】
パラメータ変換手段１３の設定規則Ｒは、個々の工作機械１毎に付されている特有の識別情報を用いて前記変換処理を行う規則としてある。前記設定規則Ｒは、規則生成元情報Ｒａと、この規則生成元情報Ｒａに所定の処理を施す規則生成規則Ｒｂとで構成し、その処理結果を用いてパラメータの変換を行う規則とされる。前記規則生成元情報Ｒａを、前記特有の識別情報とする。前記特有の識別情報は、例えば工作機械１の１台毎に異なる番号が付される機械番号であり、工作機械１に付された識別情報表示部４の表示内容である識別情報が用いられている。
【００３０】
上記パラメータ変換手段１３の設定規則Ｒに基づく変換例を説明する。機械番号が、例えば、「０７ＫＸ３２１８５３００１」であるとする。規則生成元情報Ｒａとしては、この機械番号のうちの全桁を用いても、また所定桁を用いても良い。上記機械番号のうち、先頭２桁の番号「０７」は年式、これに続く２桁の番号「ＫＸ」は形式を示し、次の９桁の番号「３２１８５３００１」が、同一年式、同一形式における個々の工作機械１を区別する番号である。規則生成規則Ｒｂは、この９桁の番号を変換に用いる。
規則生成規則Ｒｂは、上記９桁の番号の各桁の数字を加算した値を求める。すなわち、３＋２＋１＋８＋５＋３＋１＝２３、の値を求める。この加算結果の最終桁の数「３」を変換に用いる。
【００３１】
実制御用パラメータ記憶手段１１と入出力用パラメータ記憶手段１２とは、それぞれ一つのパラメータを記憶する各パラメータ記憶領域に、例えば図２に示すように、同じアドレスが付されているとする。これらパラメータ記憶領域のアドレスは、例えば１２００から１２９９までとする。
上記「３」を用いる変換は、アドレスおよびパラメータの値の両方につき行う。この場合に、アドレスを＋３とし、かつパラメータの値はビットレベルで３桁分左へシフトする。すなわち、実制御用パラメータ記憶手段１１のアドレス「１２００」に設定されるパラメータは、入出力用パラメータ記憶手段１２についてはアドレス「１２０３」に設定する。また、パラメータの値が、例えば「０００１  ０００１」であるとすると、３桁分左へシフトした結果は、「１０００  １０００」となる。
【００３２】
この変換は、実制御用パラメータ記憶手段１１を基準に説明したが、パラメータ変換手段１３は入出力用のパラメータ記憶手段１２から実制御用パラメータ記憶手段１１への入力の変換を行うため、上記と逆の処理を行う。なお、ここで、実制御用パラメータ記憶手段１１を基準に説明したのは、実制御用パラメータ記憶手段１１に設定されるパラメータが実際の制御に用いられるパラメータであり、その設定内容の設計を行う場合は、まず実制御用パラメータ記憶手段１１に設定すべきパラメータの設計を行い、その結果につき上記のような変換を行う処理を外部で行って入出力用のパラメータ記憶手段１２に設定するためである。
【００３３】
図３に概念的に示すように、このパラメータ設定装置をそれぞれ有する複数台の工作機械１を備えたパラメータ使用数値制御工作機械設備においては、各数値制御工作機械の相互間で、実制御用パラメータ記憶手段１１に設定されているパラメータの値およびアドレスが同じであって、入出力用パラメータ記憶手段１２の同じアドレスに設定されているパラメータの値がそれぞれ異なるようになる。
【００３４】
上記構成のパラメータ設定装置によると、操作盤１の表示装置１５に表示されるパラメータの値およびアドレスは、入出力用パラメータ記憶手段１２におけるパラメータの値およびアドレスであり、実制御用パラメータ記憶手段１１に設定されているパラメータは表示されない。入出力用パラメータ記憶手段１２に設定されるパラメータは、値およびアドレスの両方がパラメータ変換手段１３で変換されている。そのため、パラメータ変換手段１３による変換形態が分からないと、表示装置１５に表示されるパラメータの意味が不明であり、パラメータを適切な値にすることが全くできない。このように表示されるパラメータの意味が不明なため、現場のオペレータ等がパラメータを変更することがなくなり、不用意なパラメータの変更による予想外の機械動作の発生が回避でき、安全性が向上する。パスワード等で設定権限を制限するものと異なり、表示されるパラメータを分からなくするため、管理の不徹底による漏洩によりパラメータ変更される可能性も低い。また、パラメータ変換手段１３の前記設定規則Ｒによるパラメータの変換内容が異なっていれば、他の同種の工作機械１に同じパラメータを設定しても、実制御用パラメータ記憶手段１１に設定されるパラメータは工作機械１の相互間で異なることになる。そのため、機械の動作仕様となる付加価値のあるパラメータの設定内容の流出が防止できる。パラメータ変換手段１３の前記設定規則Ｒは、工作機械１の製造業や保守管理を行う業者等の工場でパラメータ設定を行う特定の者が管理するようにすることで、実制御用パラメータ記憶手段１１に設定されるパラメータを適切な値とすることができる。
【００３５】
この実施形態では、前記設定規則Ｒは、機械番号等の工作機械１毎の特有の識別情報を用いるため、前記設定規則Ｒのうちの規則生成規則Ｒｂの部分が各工作機械１につき同じであっても、前記設定規則Ｒは個々の工作機械毎に異なるものになる。機械番号等を用いれば、規則生成元情報Ｒａの記録消失等の問題も生じない。このため、パラメータの変更形態を個々の機械毎に異ならせながら、パラメータの管理が容易となる。
【００３６】
入出力用のパラメータ記憶手段１２に設定するパラメータの内容は、例えば、工作機械の製造業者の工場等で、上記パラメータ設定ファイル１９として作成する。このパラメータ設定ファイル１９を、インターネット等の広域通信網等の通信手段を用いてパラメータ入力手段１７に入力する。工作機械１が、遠隔機械診断用の通信手段を有する場合は、その通信手段を用いてパラメータ設定ファイル１９の通信を行う。
そのため、工作機械１の設置されている現場でパラメータの設定を変更しなければならない状況が発生したとしても、工作機械１を生産する工場側でパラメータ設定ファイル１９を作成し、それを数値制御装置２のパラメータ入力手段１７にダウンロードさせることができる。
これにより、誰が変更したかが明確となり、復旧が容易となる。また、現地で設定を変更しても、その情報が工場側の管理に確実に引き継がれるようにできる。
【図面の簡単な説明】
【００３７】
【図１】この発明の一実施形態に係る工作機械のパラメータ設定装置の概念構成を示すブロック図である。
【図２】パラメータの変更形態の一例を示す説明図である。
【図３】この発明のパラメータ設定装置をそれぞれ装備した複数の工作機械からなるパラメータ使用数値制御工作機械設備の概念構成を示す説明図である。
【図４】制御対象となる工作機械の一例を示す正面図である。
【符号の説明】
【００３８】
１…工作機械
２…数値制御装置
３…制御対象部
４…識別情報表示部
５…数値制御部
６…シーケンス制御部
８…加工プログラム
１０…シーケンスプログラム
１１…実制御用パラメータ記憶手段
１１ａ…設定変換対象領域
１１ｂ…非変換対象領域
１２…入出力用パラメータ記憶手段
１２ａ…設定変換対象領域
１２ｂ…非変換対象領域
１３…パラメータ変換手段
１４…操作盤
１５…表示装置
１６…入力装置
１７…パラメータ入力手段
１８…パラメータ出力手段
１９…パラメータ設定ファイル
Ｒ…設定規則
Ｒａ…規則生成元情報
Ｒｂ…規則生成規則
【図１】
2009175905.tif 000003
【図２】
2009175905.tif 000004
【図３】
2009175905.tif 000005
【図４】
2009175905.tif 000006